(57)【要約】【課題】吹出空気流との干渉を最小限に抑え得る構成とすることにより、騒音上昇と圧力損失とを低減できるようにする。【解決手段】径方向に所定の間隔を隔てて同心配置された多数の環状リブ１６，１６・・と、閉塞板１４から放射状に延び且つ周方向に等間隔で配置された多数の放射リブ１７，１７・・とからなる送風ユニットのファンガードにおいて、前記放射リブ１７，１７・・を、送風ファンの回転軸に平行な基準面において回転軸心に対して傾斜させるとともに、前記放射リブ１７，１７・・の傾斜角を、前記送風ファンの吹出空気流の傾斜角に対応するように半径方向で徐変させて、送風ファンからの吹出空気流が、ファンガード４の全半径方向領域において、ファンガード４における放射リブ１７，１７・・に沿って流れ得るようにしている。【選択図】        図２
2004156883.tif 000002
【特許請求の範囲】
【請求項１】
送風ファン（３）を有する送風ユニット（Ａ）の空気吹出口（９）に装着され、中央部に配設された閉塞板（１４）と外周囲に配設された外枠（１５）との間にあって、前記閉塞板（１４）の中心点を中心として径方向に所定の間隔を隔てて同心配置された多数の環状リブ（１６），（１６）・・と、前記閉塞板（１４）から前記外枠（１５）に向かって放射状に延び且つ周方向に等間隔で配置された多数の放射リブ（１７），（１７）・・とからなる送風ユニットのファンガードであって、前記放射リブ（１７），（１７）・・を、前記送風ファン（３）の回転軸（１３ａ）に平行な基準面（Ｆ）において回転軸心に対して傾斜させるとともに、前記放射リブ（１７），（１７）・・の傾斜角（α′）を、前記送風ファン（３）の吹出空気流（Ｗ）の傾斜角（α）に対応するように半径方向で徐変させたことを特徴とする送風ユニットのファンガード。
【請求項２】
前記放射リブ（１７），（１７）・・の傾斜角（α′）を、前記閉塞板（１４）と前記外枠（１５）との間の中間部位において最小値をもち且つ所定の領域において略一定とされる一定領域（Ｚ０）と、該一定領域（Ｚ０）を挟んで前記閉塞板（１４）側の漸減領域（Ｚ１）および前記外枠（１５）側の漸増領域（Ｚ２）とを有するように設定したことを特徴とする前記請求項１記載の送風ユニットのファンガード。
【請求項３】
前記放射リブ（１７），（１７）・・の傾斜角（α′）を、２０°〜５０°の範囲で徐変するようにしたことを特徴とする前記請求項１および２のいずれか一項記載の送風ユニットのファンガード。
【請求項４】
前記環状リブ（１６），（１６）・・を、半径方向領域の略中央部から外側において外向きに傾斜させ且つその傾斜角（β）を、最外周近傍においては徐々に小さくなるように設定したことを特徴とする前記請求項１、２および３のいずれか一項記載の送風ユニットのファンガード。
【請求項５】
送風ファン（３）を有する送風ユニット（Ａ）の空気吹出口（９）に装着され、中央部に配設された閉塞板（１４）と外周囲に配設された外枠（１５）との間にあって、前記閉塞板（１４）の中心点を中心として径方向に所定の間隔を隔てて同心配置された多数の環状リブ（１６），（１６）・・と、前記閉塞板（１４）から前記外枠（１５）に向かって放射状に延びる多数の放射リブ（１７），（１７）・・とからなる送風ユニットのファンガードであって、前記環状リブ（１６），（１６）・・を、半径方向領域の略中央部から外側において外向きに傾斜させ且つその傾斜角（β）を、最外周近傍においては徐々に小さくなるように設定したことを特徴とする送風ユニットのファンガード。
【請求項６】
前記外枠（１５）を、前記送風ファン（３）の回転軸（１３ａ）方向に対して平行または内側に傾斜させるとともに、前記環状リブ（１６），（１６）・・における最外周環状リブ（１６Ａ）の傾斜角を、前記外枠（１５）の傾斜角と略同一となしたことを特徴とする前記請求項４および５のいずれか一項記載の送風ユニットのファンガード。
【請求項７】
前記放射リブ（１７），（１７）・・を、前記閉塞板（１４）から前記外枠（１５）にまで連続し且つ周方向に等間隔で配置された複数本の連続リブ（１７Ａ），（１７Ａ）・・と、該連続リブ（１７Ａ），（１７Ａ）・・の間にあって前記閉塞板（１４）から半径方向の略中央部にまで至り且つ周方向に等間隔で配置された複数本の内層側リブ（１７Ｂ），（１７Ｂ）・・と、前記連続リブ（１７Ａ），（１７Ａ）・・の間にあって半径方向の略中央部から前記外枠（１５）にまで至り且つ周方向に等間隔で配置された複数本の外層側リブ（１７Ｃ），（１７Ｃ）・・とによって構成するとともに、前記内層側リブ（１７Ｂ），（１７Ｂ）・・の本数を前記外層側リブ（１７Ｃ），（１７Ｃ）・・の本数より少なくしたことを特徴とする前記請求項１、２、３、４、５および６のいずれか一項記載の送風ユニットのファンガード。
【請求項８】
前記放射リブ（１７），（１７）・・を、前記閉塞板（１４）から半径方向の略中央部にまで至り且つ周方向に等間隔で配置された多数の内層側リブ（１７Ｂ），（１７Ｂ）・・と、半径方向中央部から前記外枠（１５）にまで至り且つ周方向に等間隔で配置された多数の外層側リブ（１７Ｃ），（１７Ｃ）・・とによって構成するとともに、前記内層側リブ（１７Ｂ），（１７Ｂ）・・の本数を前記外層側リブ（１７Ｃ），（１７Ｃ）・・の本数より少なくしたことを特徴とする前記請求項１、２、３、４、５および６のいずれか一項記載の送風ユニットのファンガード。
【発明の詳細な説明】
【０００１】
【発明の属する技術分野】
本願発明は、送風ファンを有する送風ユニットの空気吹出口に装着される送風ユニットのファンガードに関するものである。
【０００２】
【従来の技術】
例えば、空気調和装置の室外機に付設される送風ユニットとしては、送風ファンの空気吹出口にファンガードを設けて、送風ファンを防護するように構成されたものがある。
【０００３】
上記ファンガードとしては、放射状に配置された多数の放射リブと、同心状に配置された多数の環状リブとを合成樹脂で一体成形したものが従来からよく知られている。このような合成樹脂製のファンガードにおける放射リブおよび環状リブは、強度を維持するとともに通過する空気流の圧力損失を低減するために、送風ファンの回転軸方向に沿う偏平な断面形状とされている。
【０００４】
上記構造のファンガードの場合、送風ファンとして軸流ファンを採用すると、放射リブおよび環状リブが送風ファンからファンガードに流入する吹出空気流と干渉するという不具合が生じ易い。そこで、放射リブを、送風ファンの回転軸と平行な基準面に対して傾斜させるように構成したファンガードが提案されている（例えば、特許文献１参照）。
【０００５】
一般に、軸流ファンからの吹出空気流は、回転方向および軸方向に所定の大きさの速度成分を持つ旋回広がり流れとなっている。そこで、上記特許文献１においては、放射リブを吹出流れ方向に偏平な断面を有する形状とし且つ該放射リブの傾きを、前記旋回吹出流れの傾斜角、即ち、軸方向速度成分と周方向速度成分の速度比から決まる傾斜角に合わせるようにしており、このことにより、吹出気流が放射リブに衝突して生じる騒音および圧力損失を低減させるようにしている。前記放射リブの傾斜角は、送風ファンの吹出空気流速度が最大となる部位における吹出空気流の傾斜角に対応して設定されていた。
【０００６】
また、上記特許文献１においては、送風ファン（例えば、軸流ファン）の吹出気流が広がり流れとなることに合わせて、半径方向領域の中央部付近から外側において前記環状リブを外向きに所定の角度傾けることによって、吹出気流の半径方向速度成分と環状リブとが衝突することにより発生する騒音および圧力損失を低減するようにしている。
【０００７】
【特許文献１】
特開２００２−２２８１９２。
【０００８】
【発明が解決しようとする課題】
ところが、軸流ファンの旋回吹出空気流の傾斜角は、全半径方向領域において一定ではなく、半径方向において変化している。即ち、吹出空気流の傾斜角αは、図１３に示すように、半径位置（即ち、無次元Ｒ＝半径／ファンガード半径）に対して下に凸な曲線（即ち、軸流ファンのハブ側から外周側に向かって漸減し、中央部やや外周側で最小値をもち且つ所定領域において略一定となり、外周近傍で再び漸増する曲線）で変化している。なお、吹出空気流の速度Ｖは、図１４に示すように、半径位置（即ち、無次元Ｒ＝半径／ファンガード半径）に対して上に凸な曲線（即ち、軸流ファンのハブ側から外周側に向かって漸増し、中央部やや外周側で最大値をもち且つ所定領域で略一定となり、外周近傍で再び漸減する曲線）で変化している。従って、上記特許文献１に開示されているファンガードにおける放射リブでは、吹出空気流の傾斜角と放射リブの傾斜角とが全半径方向領域において一致しないこととなる。そのため、吹出空気流の傾斜角が放射リブの傾斜角と一致しない領域（即ち、閉塞板側や外周側近傍）において、吹出空気流と放射リブとの干渉が発生し、該干渉に起因する騒音および圧力損失が大きくなるおそれがある。
【０００９】
また、物体の衝突などによりファンガードが送風ファンの回転軸方向に変形したときに送風ファンの後縁部と接触して破損することを避けるために、送風ファンとファンガードとは、所定の距離だけ離れて配置されるのが一般的である。前記した所定の距離を確保する手段としては、送風ファンとファンガードとの間に円筒形状あるいは矩形形状の壁面（例えば、ケーシング）を設ける場合、あるいはファンガードの外枠に軸方向の厚みを持たせ、下流側に放射リブおよび環状リブを配置する場合がある。いずれの場合も、壁面（例えば、ケーシング）あるいは外枠は、送風ファンの回転軸と平行又は軸心側に傾斜することとなる。この場合、送風ファンの吹出空気流は全体的に外向き拡大流れとなるが、外枠近傍においては壁面あるいは外枠に沿う軸方向又は軸方向内向きに流れることとなる。
【００１０】
ところが、上記特許文献１に開示されているファンガードのように、半径方向領域の中央部付近から外側において環状リブを外向きに所定の角度傾けた場合、最外周側の環状リブと外枠壁面の間を通過する気流が閉塞されてしまい、圧力損失が増大するとともに、吹出気流が最外周側の環状リブや外枠と干渉して騒音が増大してしまうという不具合が生ずるおそれがある。
【００１１】
本願発明は、上記の点に鑑みてなされたもので、吹出空気流との干渉を最小限に抑え得る構成とすることにより、騒音上昇と圧力損失とを低減できるようにすることを目的としている。
【００１２】
【課題を解決するための手段】
本願発明では、上記課題を解決するための第１の手段として、送風ファン３を有する送風ユニットＡの空気吹出口９に装着され、中央部に配設された閉塞板１４と外周囲に配設された外枠１５との間にあって、前記閉塞板１４の中心点を中心として径方向に所定の間隔を隔てて同心配置された多数の環状リブ１６，１６・・と、前記閉塞板１４から前記外枠１５に向かって放射状に延び且つ周方向に等間隔で配置された多数の放射リブ１７，１７・・とからなる送風ユニットのファンガードにおいて、前記放射リブ１７，１７・・を、前記送風ファン３の回転軸１３ａに平行な基準面Ｆにおいて回転軸心に対して傾斜させるとともに、前記放射リブ１７，１７・・の傾斜角α′を、前記送風ファン３の吹出空気流Ｗの傾斜角αに対応するように半径方向で徐変させている。
【００１３】
上記のように構成したことにより、送風ファン３からの吹出空気流Ｗが、ファンガード４の全半径方向領域において、ファンガード４における放射リブ１７，１７・・に沿って流れることとなる。従って、吹出空気流の傾斜角が放射リブの傾斜角と一致しない領域（即ち、閉塞板側や外周側近傍）が存在することとなっていた従来のものにおいて発生していた吹出空気流と放射リブとの干渉が発生しなくなり、騒音および圧力損失を低減できる。
【００１４】
本願発明では、さらに、上記課題を解決するための第２の手段として、上記第１の手段を備えた送風ユニットのファンガードにおいて、前記放射リブ１７，１７・・の傾斜角α′を、前記閉塞板１４と前記外枠１５との間の中間部位において最小値をもち且つ所定領域において略一定とされる一定領域Ｚ０と、該一定領域Ｚ０を挟んで前記閉塞板１４側の漸減領域Ｚ１および前記外枠１５側の漸増領域Ｚ２とを有するように設定することもでき、そのように構成した場合、半径方向位置（即ち、無次元Ｒ＝半径／ファンガード半径）に対する吹出空気流Ｗの傾斜角αの変化（図１３参照）と放射リブ１７，１７・・の傾斜角α′とが全半径方向領域において一致することとなり、吹出空気流Ｗの傾斜角αが放射リブ１７，１７・・の傾斜角α′と一致しない領域（即ち、閉塞板１４側や外周側近傍）が存在することとなっていた従来のものにおいて発生していた吹出空気流と放射リブとの干渉がほぼ完全に発生しなくなり、騒音および圧力損失を大幅に低減できる。
【００１５】
本願発明では、さらに、上記課題を解決するための第３の手段として、上記第１又は第２の手段を備えた送風ユニットのファンガードにおいて、前記放射リブ１７，１７・・の傾斜角α′を、２０°〜５０°の範囲で徐変するようにようにすることもでき、そのように構成した場合、放射リブ１７，１７・・の傾斜角α′を、全半径方向領域において適正に設定できることとなり、騒音および圧力損失をより確実に低減できる。
【００１６】
本願発明では、さらに、上記課題を解決するための第４の手段として、上記第１、第２又は第３の手段を備えた送風ユニットのファンガードにおいて、前記環状リブ１６，１６・・を、半径方向領域の略中央部から外側において外向きに傾斜させ且つその傾斜角βを、最外周近傍においては徐々に小さくなるように設定することもでき、そのように構成した場合、送風ファン３からの吹出空気流Ｗ（即ち、外向き広がり流れ）が環状リブ１６，１６・・に沿って通過することとなって、環状リブ１６，１６・・と吹出空気流Ｗとの干渉を低減できるし、最外周近傍においては環状リブ１６を通過した吹出空気流Ｗの吹出方向が軸方向に矯正されて、吹出空気流Ｗの閉塞現象が生ずることがなくなり、圧力損失の低減に寄与する。
【００１７】
本願発明では、さらに、上記課題を解決するための第５の手段として、送風ファン３を有する送風ユニットＡの空気吹出口９に装着され、中央部に配設された閉塞板１４と外周囲に配設された外枠１５との間にあって、前記閉塞板１４の中心点を中心として径方向に所定の間隔を隔てて同心配置された多数の環状リブ１６，１６・・と、前記閉塞板１４から前記外枠１５に向かって放射状に延びる多数の放射リブ１７，１７・・とからなる送風ユニットのファンガードにおいて、前記環状リブ１６，１６・・を、半径方向領域の略中央部から外側において外向きに傾斜させ且つその傾斜角βを、最外周近傍においては徐々に小さくなるように設定している。
【００１８】
上記のように構成したことにより、送風ファン３からの外向き広がり流れ（即ち、吹出空気流Ｗ）が、環状リブ１６，１６・・に沿って通過することとなって、環状リブ１６，１６・・と吹出空気流Ｗとの干渉を低減できるし、最外周近傍においては環状リブ１６を通過した吹出空気流Ｗの吹出方向が軸方向に矯正されて、吹出空気流Ｗの閉塞現象が生ずることがなくなり、圧力損失の低減を図ることができる。
【００１９】
本願発明では、さらに、上記課題を解決するための第６の手段として、上記第４又は第５の手段を備えた送風ユニットのファンガードにおいて、前記外枠１５を、前記送風ファン３の回転軸１３ａ方向に対して平行または内側に傾斜させるとともに、前記環状リブ１６，１６・・における最外周環状リブ１６Ａの傾斜角を、前記外枠１５の傾斜角と略同一となすこともでき、そのように構成した場合、最外周環状リブ１６Ａと外枠１５との間を吹出空気流Ｗがスムーズに通過することとなり、騒音上昇および圧力損失を低減することができる。
【００２０】
本願発明では、さらに、上記課題を解決するための第７の手段として、上記第１、第２、第３、第４、第５又は第６の手段を備えた送風ユニットのファンガードにおいて、前記放射リブ１７，１７・・を、前記閉塞板１４から前記外枠１５にまで連続し且つ周方向に等間隔で配置された複数本の連続リブ１７Ａ，１７Ａ・・と、該連続リブ１７Ａ，１７Ａ・・の間にあって前記閉塞板１４から半径方向の略中央部にまで至り且つ周方向に等間隔で配置された複数本の内層側リブ１７Ｂ，１７Ｂ・・と、前記連続リブ１７Ａ，１７Ａ・・の間にあって半径方向の略中央部から前記外枠１５にまで至り且つ周方向に等間隔で配置された複数本の外層側リブ１７Ｃ，１７Ｃ・・とによって構成するとともに、前記内層側リブ１７Ｂ，１７Ｂ・・の本数を前記外層側リブ１７Ｃ，１７Ｃ・・の本数より少なくすることもでき、そのように構成した場合、環状リブ１６，１６・・間に異物が侵入したときに環状リブ１６，１６・・が半径方向に広がるのを防止するに十分な強度を確保できるし、内層側リブ１７Ｂが閉塞板１４に連結されているため、内層側リブ１７Ｂの本数を外層側リブ１７Ｃの本数より少なくしても、ファンガード４の中央部における強度が低下することがなくなり、軸方向の荷重負荷がかかったときにファンガード４の撓みを防止し得る強度を確保できるとともに、送風ファン３からの吹出空気流Ｗの通風抵抗上昇を抑制することができる。その結果、ファンガード４の変形による送風ファン３との接触を防止できるとともに、騒音低減と送風ファン３の入力低減とを図ることができる。しかも、閉塞板１４と外枠１５とが複数本の連続リブ１７Ａによって連結されることとなっているため、ファンガード４の軸方向荷重負荷に対する強度がより高くなる。
【００２１】
本願発明では、さらに、上記課題を解決するための第８の手段として、上記第１、第２、第３、第４、第５又は第６の手段を備えた送風ユニットのファンガードにおいて、前記放射リブ１７，１７・・を、前記閉塞板１４から半径方向の略中央部にまで至り且つ周方向に等間隔で配置された多数の内層側リブ１７Ｂ，１７Ｂ・・と、半径方向中央部から前記外枠１５にまで至り且つ周方向に等間隔で配置された多数の外層側リブ１７Ｃ，１７Ｃ・・とによって構成するとともに、前記内層側リブ１７Ｂ，１７Ｂ・・の本数を前記外層側リブ１７Ｃ，１７Ｃ・・の本数より少なくすることもでき、そのように構成した場合、環状リブ１６，１６・・間に異物が侵入したときに環状リブ１６，１６・・が半径方向に広がるのを防止するに十分な強度を確保できるし、内層側リブ１７Ｂが閉塞板１４に連結されているため、内層側リブ１７Ｂの本数を外層側リブ１７Ｃの本数より少なくしても、ファンガード４の中央部における強度が低下することがなくなり、軸方向の荷重負荷がかかったときにファンガード４の撓みを防止し得る強度を確保できるとともに、送風ファン３からの吹出空気流Ｗの通風抵抗上昇を抑制することができる。その結果、ファンガード４の変形による送風ファン３との接触を防止できるとともに、騒音低減と送風ファン３の入力低減とを図ることができる。
【００２２】
【発明の実施の形態】
以下、添付の図面を参照して、本願発明を幾つかの好適な実施の形態について説明する。
【００２３】
第１の実施の形態
図１ないし図８には、本願発明の第１の実施の形態にかかる送風ユニットのファンガードが示されている。
【００２４】
このファンガード４は、図１に示すように、空気調和装置の室外ユニットＡ（送風ユニットの一例）に装着されるものであり、この室外ユニットＡは、側面から外気を吸い込み、吸い込まれた外気を冷媒と熱交換させることにより冷却あるいは加熱して空調空気となし、該空調空気を上方に吹き出すように構成された上吹き型とされている。
【００２５】
前記室外ユニットＡは、３側面に空気吸込口５を有する横断面長方形形状のケーシング１と、該ケーシング１内において前記空気吸込口５に沿うように配設された断面コ字状の熱交換器２と、外気を吸い込み吹き出すための送風ファン３と、前記ケーシング１の上端開口部に配設されたファンガード４とを備えて構成されている。なお、図１には、図示省略されているが、前記室外ユニットＡは、前記熱交換器２と対向して前記ケーシング１内に配置された制御部と、冷媒を圧縮する圧縮機とを備えている。
【００２６】
前記ケーシング１は、上方が開口した直方体形状のケーシング本体６と、該ケーシング本体６の上部開口を覆う上蓋部材７とを有しており、前記ケーシング本体６は、例えば板金加工により形成された金属薄板からなる箱体とされている。
【００２７】
前記上蓋部材７は、合成樹脂の一体成形品からなっており、前記ケーシング本体６の上部開口に載置される断面長方形形状の載置部７ａと、該載置部７ａの上端から筒状に絞られて延設された円形形状の壁面部７ｂとからなっており、該壁面部７ｂの上端は、前記ファンガード４が装着される空気吹出口９とされている。前記上蓋部材７における壁面部７ｂの上部内面には、概ね円筒形状で上下部分が広がったベルマウス１０が設けられている。
【００２８】
前記送風ファン３は、中心に位置する筒状のハブ１１と該ハブ１１の周囲に設けられた複数の羽根１２，１２・・とからなる軸流ファンとされており、前記ベルマウス１０の内方に配置されている。この送風ファン３は、前記ハブ１１の中心に枢着された回転軸１３ａを有するファンモータ１３により回転駆動されることとなっている。該ファンモータ１３は、前記ケーシング本体６の上端部に対して支持具（図示省略）を介して取り付けられている。
【００２９】
前記ファンガード４は、図２に示すように、中央部に配設された円形の閉塞板１４と外周囲に配設された円形の外枠１５との間にあって、前記閉塞板１４の中心点を中心として径方向に所定の間隔を隔てて同心配置された環状リブ１６，１６・・と、前記閉塞板１４から前記外枠１５に向かって放射状に延びる放射リブ１７，１７・・とからなっており、該放射リブ１７，１７・・は、前記閉塞板１４から前記外枠１５にまで連続する複数本（本実施の形態の場合、８本）の連続リブ１７Ａ，１７Ａ・・と、前記閉塞板１４から半径方向の略中央部にまで至る内層領域Ｚｉにおいて前記閉塞板１４から半径方向の略中央部に至る内層側リブ１７Ｂ，１７Ｂ・・と、半径方向の略中央部から前記外枠１５にまで至る外層領域Ｚｏにおいて半径方向の略中央部から前記外枠１５に至る外層側リブ１７Ｃ，１７Ｃ・・とによって構成されている。この場合、連続リブ１７Ａ，１７Ａ・・は、周方向等間隔に設けられており、隣り合う連続リブ１７Ａ，１７Ａの間には、３本の外層側リブ１７Ｃ，１７Ｃ，１７Ｃと２本の内層側リブ１７Ｂ，１７Ｂとが周方向等間隔に設けられている。つまり、前記内層側リブ１７Ｂ，１７Ｂ・・の本数は前記外層側リブ１７Ｃ，１７Ｃ・・の本数より８本少なくなっているのである。
【００３０】
上記のようにすると、環状リブ１６，１６・・間に異物が侵入したときに環状リブ１６，１６・・が半径方向に広がるのを防止するに十分な強度を確保できるし、内層側リブ１７Ｂが閉塞板１４に連結されているため、内層側リブ１７Ｂの本数を外層側リブ１７Ｃの本数より少なくしても、ファンガード４の中央部における強度が低下することがなくなり、軸方向の荷重負荷がかかったときにファンガード４の撓みを防止し得る強度を確保できる。また、送風ファン３からの吹出空気流Ｗの通風抵抗上昇を抑制することができる。しかも、閉塞板１４と外枠１５とが８本の連続リブ１７Ａ，１７Ａ・・によって連結されることとなっているため、ファンガード４の軸方向荷重負荷に対する強度がより高くなる。
【００３１】
また、前記閉塞板１４、前記外枠１５、前記連続リブ１７Ａ，１７Ａ・・、前記内層側リブ１７Ｂ，１７Ｂ・・、前記外層側リブ１７Ｃ，１７Ｃ・・および前記環状リブ１６，１６・・は、合成樹脂の一体成形品からなっている（図３参照）。また、前記外枠１５は、前記送風ファン３の羽根１２，１２・・の外径より大径のスリーブ形状とされている。そして、この外枠１５を前記壁面部７ｂの上端の空気吹出口９にはめ込むことにより、ファンガード４が装着されることとなっているのである。
【００３２】
前記連続リブ１７Ａ，１７Ａ・・および前記内層側リブ１７Ｂ，１７Ｂ・・は、前記閉塞板１４から半径方向に放射状に配置され且つ送風ファン３の回転方向Ｍの下流側に向かって凸に湾曲して形成されている。また、前記外層側リブ１７Ｃ，１７Ｃ・・は、ファンガード４における外層領域Ｚｏにおいて半径方向に放射状に配置され且つ送風ファン３の回転方向Ｍの下流側に向かって凸に湾曲して形成されている。このようにしたことにより、放射状に広がりながら吹き出される送風ファン３の吹出空気流Ｗに前記リブ１７Ａ，１７Ｂ，１７Ｃが沿い易くなるのである。具体的には、前記リブ１７Ａ，１７Ｂ，１７Ｃは、ほぼ円弧状となるように回転方向Ｍの下流側に向かって凸に湾曲して形成されているのである（図４参照）。
【００３３】
ところで、送風ファン３（即ち、軸流ファン）の旋回吹出空気流の傾斜角αは、全半径方向領域において一定ではなく、半径方向において変化している。即ち、吹出気流の傾斜角αは、図１３に示すように、半径位置（即ち、無次元Ｒ＝半径／ファンガード半径）に対して下に凸な曲線（即ち、軸流ファンのハブ側から外周側に向かって漸減し、中央部やや外周側で最小値をもち且つ所定領域において略一定となり、外周近傍で再び漸増する曲線）で変化している。つまり、前記傾斜角αは、２０°〜５０°の範囲で徐変することとなっているのである。
【００３４】
そこで、本実施の形態においては、図５に示すように、前記放射リブ（即ち、連続リブ１７Ａ、内層側リブ１７Ｂおよび外層側リブ１７Ｃ）の傾斜角α′は、前記閉塞板１４と前記外枠１５との間の中間部位において最小値（例えば、約２３°）をもち且つ所定領域において略一定とされる一定領域Ｚ０と、該一定領域Ｚ０を挟んで前記閉塞板１４側の漸減領域Ｚ１および前記外枠１５側の漸増領域Ｚ２とを有するように設定されている。つまり、前記放射リブ（即ち、連続リブ１７Ａ、内層側リブ１７Ｂおよび外層側リブ１７Ｃ）は、前記送風ファン３の回転軸１３ａに平行な基準面Ｆにおいて回転軸心に対して傾斜させるとともに、前記放射リブ（即ち、連続リブ１７Ａ、内層側リブ１７Ｂおよび外層側リブ１７Ｃ）の傾斜角α′を、前記送風ファン３の吹出気流Ｗの吹出角度αに対応するように半径方向で徐変させているのである。ここで、前記放射リブ（即ち、連続リブ１７Ａ、内層側リブ１７Ｂおよび外層側リブ１７Ｃ）の傾斜角α′は、２０°〜５０°の範囲で徐変させるのが望ましい。
【００３５】
このようにすると、半径方向位置（即ち、無次元Ｒ＝半径／ファンガード半径）に対する吹出空気流の傾斜角度αの変化（図１３参照）と放射リブ（即ち、連続リブ１７Ａ、内層側リブ１７Ｂおよび外層側リブ１７Ｃ）の傾斜角度α′とが全半径方向領域において一致することとなり、吹出空気流の傾斜角αが放射リブ（即ち、連続リブ１７Ａ、内層側リブ１７Ｂおよび外層側リブ１７Ｃ）の傾斜角α′と一致しない領域（即ち、閉塞板１４側や外周側近傍）が存在することとなっていた従来のものにおいて発生していた吹出空気流と放射リブとの干渉がほぼ完全に発生しなくなり、騒音および圧力損失を大幅に低減できる。
【００３６】
また、本実施の形態においては、前記環状リブ１６，１６・・は、図６に示すように、半径方向領域の略中央部から外側において外向きに傾斜させ且つその傾斜角βは、最外周近傍においては徐々に小さくなるように設定されている。この場合、上蓋部材７における壁面部７ｂおよび前記ファンガード４の外枠１５は、送風ファン３の回転軸１３ａに対して内側に傾斜されている。このようにすると、送風ファン３からの外向き広がり流れ（即ち、吹出空気流Ｗ）が、環状リブ１６，１６・・に沿って通過することとなって、環状リブ１６と吹出空気流Ｗとの干渉を低減できるし、最外周近傍においては環状リブ１６を通過した吹出空気流Ｗの吹出方向が軸方向に矯正されて、吹出空気流Ｗの閉塞現象が生ずることがなくなり、圧力損失の低減を図ることができる。
【００３７】
前記環状リブ１６，１６・・における最外周環状リブ１６Ａの傾斜角βを、前記外枠１５の傾斜角と略同一となすのが望ましい。この場合、最外周環状リブ１６Ａと外枠１５との間を吹出空気流Ｗがスムーズに通過することとなり、騒音上昇および圧力損失を低減することができる。なお、外枠１５を送風ファン３の回転軸１３ａ方向と平行とすることもできる。
【００３８】
また、内層側リブ１７Ｂの外端と外層側リブ１７Ｃの内端とが連結されている環状リブ１６Ｂの肉厚を他のものより厚くするのが高い強度を確保する上で望ましい。
【００３９】
また、図７に示すように、環状リブ１６，１６・・を、半径方向領域の略中央部から外側において外向きに所定角度β（例えば、β＝５°〜１５°）で傾斜させるようにしてもよく、図８に示すように、外枠１５を送風ファン３の回転軸１３ａ方向と平行とするとともに、環状リブ１６，１６・・を、半径方向領域の略中央部から外側において外向きに所定角度β（例えば、β＝５°〜１５°）で傾斜させるようにしてもよい。
【００４０】
第２の実施の形態
図９は、本願発明の第２の実施の形態にかかる送風ユニットのファンガードが示されている。
【００４１】
この場合、放射リブ１７，１７・・は、閉塞板１４から半径方向の略中央部にまで至る内層領域Ｚｉにおいて前記閉塞板１４から半径方向の略中央部に至る内層側リブ１７Ｂ，１７Ｂ・・と、半径方向の略中央部から外枠１５にまで至る外層領域Ｚｏにおいて半径方向の略中央部から前記外枠１５に至る外層側リブ１７Ｃ，１７Ｃ・・とによって構成されている。この場合、前記外層側リブ１７Ｃ，１７Ｃ・・および前記内層側リブ１７Ｂ，１７Ｂ・・は周方向等間隔に設けられており、前記内層側リブ１７Ｂ，１７Ｂ・・の本数は前記外層側リブ１７Ｃ，１７Ｃ・・の本数の１／２とされている。このようにすると、環状リブ１６，１６・・間に異物が侵入したときに環状リブ１６，１６・・が半径方向に広がるのを防止するに十分な強度を確保できるし、内層側リブ１７Ｂが閉塞板１４に連結されているため、内層側リブ１７Ｂの本数を外層側リブ１７Ｃの本数より少なくしても、ファンガード４の中央部における強度が低下することがなくなり、軸方向の荷重負荷がかかったときにファンガード４の撓みを防止し得る強度を確保できるとともに、送風ファン３からの吹出空気流Ｗの通風抵抗上昇を抑制することができる。その結果、ファンガード４の変形による送風ファン３との接触を防止できるとともに、騒音低減と送風ファン３の入力低減とを図ることができる。なお、前記内層側リブ１７Ｂ，１７Ｂ・・および前記外層側リブ１７Ｃ，１７Ｃ・・の周方向間隔（換言すれば、本数）は、容易に異物（例えば、指等）が入らない程度とされる。その他の構成および作用効果は、第１の実施の形態におけると同様なので説明を省略する。
【００４２】
第３の実施の形態
図１０には、本願発明の第３の実施の形態にかかる送風ユニットのファンガードが示されている。
【００４３】
この場合、ファンガード４における閉塞板１４および外枠１５がともに矩形形状とされており、放射リブ１７，１７・・の全てが、前記閉塞板１４と前記外枠１５とを連結するように放射状に延びてほぼ円弧状となるように送風ファン３の回転方向Ｍの下流側に向かって凸に湾曲して形成されている。なお、閉塞板１４を円形としても何ら差し支えない。このようにすると、閉塞板１４と外枠１５とが全ての放射リブ１７，１７・・によって直接連結されることとなるため、ファンガード４の強度が向上するが、ファンガード４の外周部における放射リブ１７，１７・・の周方向間隔を異物侵入が生じない程度の大きさとする必要があるところから、当該周方向間隔によって放射リブ１７，１７・・の本数が規定されることとなるため、ファンガード４の内周側において放射リブ１７，１７・・の本数が多くなり過ぎる（換言すれば、放射リブ１７，１７・・の周方向間隔が必要以上に狭くなり過ぎる）こととなり、送風ファン３からの吹出空気流の通風抵抗上昇につながるおそれがある。その他の構成および作用効果は、第１の実施の形態におけると同様なので説明を省略する。
【００４４】
第４の実施の形態
図１１には、本願発明の第４の実施の形態にかかる送風ユニットのファンガードが示されている。
【００４５】
この場合、ファンガード４における閉塞板１４が円形形状とされ、外枠１５が矩形形状とされており、放射リブ１７，１７・・の全てが、前記閉塞板１４と前記外枠１５とを連結し且つ直線的に放射状に延びて形成されている。なお、閉塞板１４を矩形としても何ら差し支えない。このようにすると、閉塞板１４と外枠１５とが全ての放射リブ１７，１７・・によって直接連結されることとなるため、ファンガード４の強度が向上するが、ファンガード４の外周部における放射リブ１７，１７・・の周方向間隔を異物侵入が生じない程度の大きさとする必要があるところから、当該周方向間隔によって放射リブ１７，１７・・の本数が規定されることとなるため、ファンガード４の内周側において放射リブ１７，１７・・の本数が多くなり過ぎる（換言すれば、放射リブ１７，１７・・の周方向間隔が必要以上に狭くなり過ぎる）こととなり、送風ファン３からの吹出空気流の通風抵抗上昇につながるおそれがある。その他の構成および作用効果は、第１の実施の形態におけると同様なので説明を省略する。
【００４６】
第５の実施の形態
図１２には、本願発明の第５の実施の形態にかかる送風ユニットのファンガードが示されている。
【００４７】
この場合、ファンガード４における閉塞板１４および外枠１５がともに円形形状とされており、放射リブ１７，１７・・の全てが、前記閉塞板１４と前記外枠１５とを連結し且つ直線的に放射状に延びて形成されている。なお、閉塞板１４を矩形としても何ら差し支えない。このようにすると、閉塞板１４と外枠１５とが全ての放射リブ１７，１７・・によって直接連結されることとなるため、ファンガード４の強度が向上するが、ファンガード４の外周部における放射リブ１７，１７・・の周方向間隔を異物侵入が生じない程度の大きさとする必要があるところから、当該周方向間隔によって放射リブ１７，１７・・の本数が規定されることとなるため、ファンガード４の内周側において放射リブ１７，１７・・の本数が多くなり過ぎる（換言すれば、放射リブ１７，１７・・の周方向間隔が必要以上に狭くなり過ぎる）こととなり、送風ファン３からの吹出空気流の通風抵抗上昇につながるおそれがある。その他の構成および作用効果は、第１の実施の形態におけると同様なので説明を省略する。
【００４８】
【発明の効果】
本願発明の第１の手段によれば、送風ファン３を有する送風ユニットＡの空気吹出口９に装着され、中央部に配設された閉塞板１４と外周囲に配設された外枠１５との間にあって、前記閉塞板１４の中心点を中心として径方向に所定の間隔を隔てて同心配置された多数の環状リブ１６，１６・・と、前記閉塞板１４から前記外枠１５に向かって放射状に延び且つ周方向に等間隔で配置された多数の放射リブ１７，１７・・とからなる送風ユニットのファンガードにおいて、前記放射リブ１７，１７・・を、前記送風ファン３の回転軸１３ａに平行な基準面Ｆにおいて回転軸心に対して傾斜させるとともに、前記放射リブ１７，１７・・の傾斜角α′を、前記送風ファン３の吹出空気流Ｗの傾斜角αに対応するように半径方向で徐変させて、送風ファン３からの吹出空気流Ｗが、ファンガード４の全半径方向領域において、ファンガード４における放射リブ１７，１７・・に沿って流れ得るようにしたので、吹出空気流Ｗの傾斜角αが放射リブ１７，１７・・の傾斜角α′と一致しない領域（即ち、閉塞板１４側や外周側近傍）が存在することとなっていた従来のものにおいて発生していた吹出空気流と放射リブとの干渉が発生しなくなり、騒音および圧力損失を低減できるという効果がある。
【００４９】
本願発明の第２の手段におけるように、上記第１の手段を備えた送風ユニットのファンガードにおいて、前記放射リブ１７，１７・・の傾斜角α′を、前記閉塞板１４と前記外枠１５との間の中間部位において最小値をもち且つ所定領域において略一定とされる一定領域Ｚ０と、該一定領域Ｚ０を挟んで前記閉塞板１４側の漸減領域Ｚ１および前記外枠１５側の漸増領域Ｚ２とを有するように設定することもでき、そのように構成した場合、半径方向位置（即ち、無次元Ｒ＝半径／ファンガード半径）に対する吹出空気流Ｗの傾斜角αの変化（図１３参照）と放射リブ１７，１７・・の傾斜角α′とが全半径方向領域において一致することとなり、吹出空気流Ｗの傾斜角αが放射リブ１７，１７・・の傾斜角α′と一致しない領域（即ち、閉塞板１４側や外周側近傍）が存在することとなっていた従来のものにおいて発生していた吹出空気流と放射リブとの干渉がほぼ完全に発生しなくなり、騒音および圧力損失を大幅に低減できる。
【００５０】
本願発明の第３の手段におけるように、上記第１又は第２の手段を備えた送風ユニットのファンガードにおいて、前記放射リブ１７，１７・・の傾斜角α′を、２０°〜５０°の範囲で徐変するようにようにすることもでき、そのように構成した場合、放射リブ１７，１７・・の傾斜角α′を、全半径方向領域において適正に設定できることとなり、騒音および圧力損失をより確実に低減できる。
【００５１】
本願発明の第４の手段におけるように、上記第１、第２又は第３の手段を備えた送風ユニットのファンガードにおいて、前記環状リブ１６，１６・・を、半径方向領域の略中央部から外側において外向きに傾斜させ且つその傾斜角βを、最外周近傍においては徐々に小さくなるように設定することもでき、そのように構成した場合、送風ファン３からの吹出空気流Ｗ（即ち、外向き広がり流れ）が環状リブ１６，１６・・に沿って通過することとなって、環状リブ１６，１６・・と吹出空気流Ｗとの干渉を低減できるし、最外周近傍においては環状リブ１６を通過した吹出空気流Ｗの吹出方向が軸方向に矯正されて、吹出空気流Ｗの閉塞現象が生ずることがなくなり、圧力損失の低減に寄与する。
【００５２】
本願発明の第５の手段によれば、送風ファン３を有する送風ユニットＡの空気吹出口９に装着され、中央部に配設された閉塞板１４と外周囲に配設された外枠１５との間にあって、前記閉塞板１４の中心点を中心として径方向に所定の間隔を隔てて同心配置された多数の環状リブ１６，１６・・と、前記閉塞板１４から前記外枠１５に向かって放射状に延びる多数の放射リブ１７，１７・・とからなる送風ユニットのファンガードにおいて、前記環状リブ１６，１６・・を、半径方向領域の略中央部から外側において外向きに傾斜させ且つその傾斜角βを、最外周近傍においては徐々に小さくなるように設定して、送風ファン３からの外向き広がり流れ（即ち、吹出空気流Ｗ）が、環状リブ１６，１６・・に沿って通過し得るようにしたので、環状リブ１６，１６・・と吹出空気流Ｗとの干渉を低減できるし、最外周近傍においては環状リブ１６を通過した吹出空気流Ｗの吹出方向が軸方向に矯正されて、吹出空気流Ｗの閉塞現象が生ずることがなくなり、圧力損失の低減を図ることができるという効果がある。
【００５３】
本願発明の第６の手段におけるように、上記第４又は第５の手段を備えた送風ユニットのファンガードにおいて、前記外枠１５を、前記送風ファン３の回転軸１３ａ方向に対して平行または内側に傾斜させるとともに、前記環状リブ１６，１６・・における最外周環状リブ１６Ａの傾斜角を、前記外枠１５の傾斜角と略同一となすこともでき、そのように構成した場合、最外周環状リブ１６Ａと外枠５との間を吹出空気流Ｗがスムーズに通過することとなり、騒音上昇および圧力損失を低減することができる。
【００５４】
本願発明の第７の手段におけるように、上記第１、第２、第３、第４、第５又は第６の手段を備えた送風ユニットのファンガードにおいて、前記放射リブ１７，１７・・を、前記閉塞板１４から前記外枠１５にまで連続し且つ周方向に等間隔で配置された複数本の連続リブ１７Ａ，１７Ａ・・と、該連続リブ１７Ａ，１７Ａ・・の間にあって前記閉塞板１４から半径方向の略中央部にまで至り且つ周方向に等間隔で配置された複数本の内層側リブ１７Ｂ，１７Ｂ・・と、前記連続リブ１７Ａ，１７Ａ・・の間にあって半径方向の略中央部から前記外枠１５にまで至り且つ周方向に等間隔で配置された複数本の外層側リブ１７Ｃ，１７Ｃ・・とによって構成するとともに、前記内層側リブ１７Ｂ，１７Ｂ・・の本数を前記外層側リブ１７Ｃ，１７Ｃ・・の本数より少なくすることもでき、そのように構成した場合、環状リブ１６，１６・・間に異物が侵入したときに環状リブ１６，１６・・が半径方向に広がるのを防止するに十分な強度を確保できるし、内層側リブ１７Ｂが閉塞板１４に連結されているため、内層側リブ１７Ｂの本数を外層側リブ１７Ｃの本数より少なくしても、ファンガード４の中央部における強度が低下することがなくなり、軸方向の荷重負荷がかかったときにファンガード４の撓みを防止し得る強度を確保できるとともに、送風ファン３からの吹出空気流Ｗの通風抵抗上昇を抑制することができる。その結果、ファンガード４の変形による送風ファン３との接触を防止できるとともに、騒音低減と送風ファン３の入力低減とを図ることができる。しかも、閉塞板１４と外枠１５とが複数本の放射リブ（即ち、連続リブ１７Ａ）によって連結されることとなっているため、ファンガード４の軸方向荷重負荷に対する強度がより高くなる。
【００５５】
本願発明の第８の手段として、上記第１、第２、第３、第４、第５又は第６の手段を備えた送風ユニットのファンガードにおいて、前記放射リブ１７，１７・・を、前記閉塞板１４から半径方向の略中央部にまで至り且つ周方向に等間隔で配置された多数の内層側リブ１７Ｂ，１７Ｂ・・と、半径方向中央部から前記外枠１５にまで至り且つ周方向に等間隔で配置された多数の外層側リブ１７Ｃ，１７Ｃ・・とによって構成するとともに、前記内層側リブ１７Ｂ，１７Ｂ・・の本数を前記外層側リブ１７Ｃ，１７Ｃ・・の本数より少なくすることもでき、そのように構成した場合、環状リブ１６，１６・・間に異物が侵入したときに環状リブ１６，１６・・が半径方向に広がるのを防止するに十分な強度を確保できるし、内層側リブ１７Ｂが閉塞板１４に連結されているため、内層側リブ１７Ｂの本数を外層側リブ１７Ｃの本数より少なくしても、ファンガード４の中央部における強度が低下することがなくなり、軸方向の荷重負荷がかかったときにファンガード４の撓みを防止し得る強度を確保できるとともに、送風ファン３からの吹出空気流Ｗの通風抵抗上昇を抑制することができる。その結果、ファンガード４の変形による送風ファン３との接触を防止できるとともに、騒音低減と送風ファン３の入力低減とを図ることができる。
【図面の簡単な説明】
【図１】本願発明の第１の実施の形態にかかるファンガードを用いた送風ユニット（室外ユニット）の一部を断面とした側面図である。
【図２】本願発明の第１の実施の形態にかかる送風ユニットのファンガードを示す平面図である。
【図３】本願発明の第１の実施の形態にかかる送風ユニットのファンガードの要部を示す部分拡大斜視図である。
【図４】本願発明の第１の実施の形態にかかる送風ユニットのファンガードおよび送風ファン部分の一部を欠除した斜視図である。
【図５】本願発明の第１の実施の形態にかかる送風ユニットのファンガードを構成する放射リブの形状を決定する説明図である。
【図６】本願発明の第１の実施の形態にかかる送風ユニットのファンガードの要部拡大断面図である。
【図７】本願発明の第１の実施の形態にかかる送風ユニットのファンガードの変形例を示す要部拡大断面図である。
【図８】本願発明の第１の実施の形態にかかる送風ユニットのファンガードの他の変形例を示す要部拡大断面図である。
【図９】本願発明の第２の実施の形態にかかる送風ユニットのファンガードを示す平面図である。
【図１０】本願発明の第３の実施の形態にかかる送風ユニットのファンガードを示す平面図である。
【図１１】本願発明の第４の実施の形態にかかる送風ユニットのファンガードを示す平面図である。
【図１２】本願発明の第５の実施の形態にかかる送風ユニットのファンガードを示す平面図である。
【図１３】無次元Ｒ（半径／ファンガード半径）と軸流ファンにおける吹出空気流の傾斜角α（°）との関係を示す特性図である。
【図１４】無次元Ｒ（半径／ファンガード半径）と軸流ファンにおける吹出空気流の速度Ｖ（ｍ／ｓ）との関係を示す特性図である。
【符号の説明】
３は送風ファン、４はファンガード、９は空気吹出口、１３はファンモータ、１３ａは回転軸、１４は閉塞板、１５は外枠、１６は環状リブ、１６Ａは最外周環状リブ、１７は放射リブ、１７Ａは連続リブ、１７Ｂは内層側リブ、１７Ｃは外層側リブ、Ａは送風ユニット（室外ユニット）、Ｆは基準面、Ｗは吹出空気流、Ｚ０は略一定領域、Ｚ１は漸減領域、Ｚ２は漸増領域、αは吹出空気流の傾斜角、α′は放射リブの傾斜角、βは環状リブの傾斜角。
【図１】
2004156883.tif 000003
【図２】
2004156883.tif 000004
【図３】
2004156883.tif 000005
【図４】
2004156883.tif 000006
【図５】
2004156883.tif 000007
【図６】
2004156883.tif 000008
【図７】
2004156883.tif 000009
【図８】
2004156883.tif 000010
【図９】
2004156883.tif 000011
【図１０】
2004156883.tif 000012
【図１１】
2004156883.tif 000013
【図１２】
2004156883.tif 000014
【図１３】
2004156883.tif 000015
【図１４】
2004156883.tif 000016